(57)【特許請求の範囲】
【請求項１】
（Ａ）ＩＣカード及び券を通過させることができる共通の処理口と、
前記ＩＣカードによる券購入や積み増しを可能とするために前記ＩＣカードに対して読取り処理及び書込み処理を行うＩＣカード処理部と、
前記処理口と前記ＩＣカード処理部とを結ぶＩＣカード搬送路に沿ってＩＣカードを搬送するＩＣカード搬送手段と、
前記券がロール紙の状態で置かれる用紙部と、
前記券に所定の情報を記録し更に前記ロール紙を切断する処理を含んだ発券のための処理を行う発券処理部と、
用紙部と発券処理部と処理口とを結ぶ券搬送路に沿って券を搬送する券搬送手段と、
を有しており、
前記ＩＣカード搬送手段及び前記券搬送手段は、前記処理口に連続して設けられた共通の搬送部を含んでおり、
前記ＩＣカード搬送路と前記券搬送路とは、前記ＩＣカード処理部よりも前記処理口側の位置及び前記発券処理部よりも前記処理口側の位置において、前記共通の搬送部から分岐しており、
前記共通の搬送部を前記ＩＣカード搬送路又は前記券搬送路のいずれかとして用いて前記ＩＣカード又は前記券を搬送し、
（Ｂ）前記ＩＣカード搬送路は直線状の搬送路であり、
（Ｃ）前記ＩＣカード搬送手段は、
前記共通の搬送部に連続した第２搬送部と、
該第２搬送部に連続しており前記ＩＣカード処理部に対して前記ＩＣカードを搬送する第３搬送部と、を有しており、
前記第２搬送部は、
券を回収するための券回収箱に通じた分岐路を構成する分岐部と、
前記分岐路と前記ＩＣカード搬送路とを切換える切換手段と、を有しており、
（Ｄ）前記共通の搬送部、前記第２搬送部及び前記第３搬送部のそれぞれは、それぞれが駆動ローラと従動ローラとそれらのローラに掛け渡されたベルトとから成る一対のベルト搬送ユニットのベルト同士を対面させることによって構成されており、
第１のモータによって駆動される第１の駆動ベルトと、第２のモータによって駆動される第２の駆動ベルトとが設けられており、
前記第１の駆動ベルトは前記共通の搬送部を構成する一対の駆動ローラと、前記第３搬送部を構成する一対の駆動ローラのうちの一方とに掛け渡され、
前記第２の駆動ベルトは前記第２搬送部を構成する一対の駆動ローラと、前記第３搬送部を構成する一対の駆動ローラのうちの他方とに掛け渡され、
前記第３搬送部を構成する一対の駆動ローラのうちの一方は一方向動力伝達要素を介して前記第１の駆動ベルトに連結され、
前記第３搬送部を構成する一対の駆動ローラのうちの他方は一方向動力伝達要素を介して前記第２の駆動ベルトに連結され、
（Ｅ）前記ロール紙は、前記第２のモータの側方の領域に配置されている
ことを特徴とする発券装置。
【請求項２】
接客部、硬貨処理装置、紙幣処理装置、硬貨回収金庫、及び発券装置を有する券売機において、前記発券装置は請求項１記載の発券装置であることを特徴とする券売機。
【発明の詳細な説明】
【技術分野】
【０００１】
本発明は、入金指示に従って券、例えば乗車券、食券、入場券、各種のチケットを作成して払い出す券売機に関する。また、本発明は、券売機を構成する１つの構成要素であり券に必要な情報を印字や記録する発券装置に関する。
【背景技術】
【０００２】
近年、交通系ＩＣカードの普及は目覚しく、定期券はもとよりストアード・フェア（ＳＦ／Stored Fare／蓄積料金）への利用、電子マネーへの利用等と用途も拡がり、発行枚数も増加している。このような中、券売機へのＩＣカードの利用も増加している。
【０００３】
券売機は、一般に、客が操作する接客部と、硬貨を処理する硬貨装置と、紙幣を処理する紙幣装置と、券の券面を印刷する印刷装置と、カードを処理するカード処理装置と、各装置用及び券売機全体用の制御部、等といった各装置機器によって構成されている。ＩＣカードは、接客部から導入され、カード処理装置によって読取り及び書込みの処理を受ける。
【０００４】
上記の券売機として、従来、特許文献１に開示された乗越精算機が知られている。この乗越精算機においては、単一の投入口から券及びカードを投入可能とし、返却すべき券の発行とカードの返却とが同一の取出口を通して行われる。
【先行技術文献】
【特許文献】
【０００５】
【特許文献１】特許第２５３１５４５号公報（第３〜５頁、第１図）
【発明の概要】
【発明が解決しようとする課題】
【０００６】
上記の乗越精算機においては、カード及び券の投入口が共通であり、それらの取出口が共通であるが、投入口と取出口とは互いに別々に設けられていた。そのため、装置の全体が大型にならざるを得なかった。また、投入されたカードを処理する機構と、券を印刷して搬出する機構とが別々のユニットとして設けられていた。そのため、やはり装置の全体が大型にならざるを得ず、しかも装置全体のコストが高いという問題があった。
【０００７】
本発明は、上記の問題点に鑑みて成されたものであって、ＩＣカードの処理機能と券を発券する機能とを併せて有する発券装置及び券売機を小型に低コストで作製できるようにすることを目的とする。
【課題を解決するための手段】
【０００８】
本発明に係る発券装置は、ＩＣカード及び券を通過させることができる共通の処理口と、前記ＩＣカードによる券購入や積み増しを可能とするために前記ＩＣカードに対して読取り処理及び書込み処理を行うＩＣカード処理部と、前記処理口と前記ＩＣカード処理部とを結ぶＩＣカード搬送路に沿ってＩＣカードを搬送するＩＣカード搬送手段と、前記券がロール紙の状態で置かれる用紙部と、前記券に所定の情報を記録し更に前記ロール紙を切断する処理を含んだ発券のための処理を行う発券処理部と、前記用紙部と前記発券処理部と前記処理口とを結ぶ券搬送路に沿って券を搬送する券搬送手段とを有しており、前記ＩＣカード搬送手段及び前記券搬送手段は、前記処理口に連続して設けられた共通の搬送部を含んでおり、前記ＩＣカード搬送路と前記券搬送路とは、前記ＩＣカード処理部よりも前記処理口側の位置及び前記発券処理部よりも前記処理口側の位置において、前記共通の搬送部から分岐しており、前記共通の搬送部を前記ＩＣカード搬送路又は前記券搬送路のいずれかとして用いて前記ＩＣカード又は前記券を搬送し、前記ＩＣカード搬送路は直線状の搬送路であり、前記ＩＣカード搬送手段は、前記共通の搬送部に連続した第２搬送部と、該第２搬送部に連続しており前記ＩＣカード処理部に対して前記ＩＣカードを搬送する第３搬送部とを有しており、前記第２搬送部は、券を回収するための券回収箱に通じた分岐路を構成する分岐部と、前記分岐路と前記ＩＣカード搬送路とを切換える切換手段とを有しており、前記共通の搬送部、前記第２搬送部及び前記第３搬送部のそれぞれは、それぞれが駆動ローラと従動ローラとそれらのローラに掛け渡されたベルトとから成る一対のベルト搬送ユニットのベルト同士を対面させることによって構成されており、第１のモータによって駆動される第１の駆動ベルトと、第２のモータによって駆動される第２の駆動ベルトとが設けられており、前記第１の駆動ベルトは前記共通の搬送部を構成する一対の駆動ローラと、前記第３搬送部を構成する一対の駆動ローラのうちの一方とに掛け渡され、前記第２の駆動ベルトは前記第２搬送部を構成する一対の駆動ローラと、前記第３搬送部を構成する一対の駆動ローラのうちの他方とに掛け渡され、前記第３搬送部を構成する一対の駆動ローラのうちの一方は一方向動力伝達要素を介して前記第１の駆動ベルトに連結され、前記第３搬送部を構成する一対の駆動ローラのうちの他方は一方向動力伝達要素を介して前記第２の駆動ベルトに連結され、前記ロール紙は、前記第２のモータの側方の領域に配置されていることを特徴とする。
【０００９】
ＩＣカードは各種の情報を記憶するための公知のカードであり、例えば人が手のひらに乗せることができる程度の大きさ、例えば８５．６ｍｍ×５４ｍｍ程度の大きさのカードである。ＩＣカードは、通常、任意の材質、例えば紙、樹脂によって形成された基材にＩＣチップを固着することによって形成されている。ＩＣカードには非接触式カードと接触式カードがある。非接触式カードの場合は、相手側からの電波を受けて発電を行うために基材上にアンテナが装備される。また、接触式カードの場合は、相手側から給電を受けるために基材上に入力端子が装備される。
【００１０】
本発明に係る発券装置において、前記ＩＣカード搬送路は直線状の搬送路であることが望ましい。この構成により、硬質のＩＣカードを安定して搬送することができ、ＩＣカードの損傷や詰まりの発生を防止できる。
【００１１】
本発明に係る発券装置において、前記ＩＣカード搬送手段は、前記共通の搬送部に連続した第２搬送部と、該第２搬送部に連続しており前記ＩＣカード処理部に対して前記ＩＣカードを搬送する第３搬送部とを有する構成とすることができる。そして、前記第２搬送部は、券を回収するための券回収箱に通じた分岐路を構成する分岐部と、前記分岐路と前記ＩＣカード搬送路とを切換える切換手段とを有する構成とすることができる。この構成により、券搬送路とＩＣカード搬送路の両方を活用して払戻し券、エンコードミス券等の回収処理を行うことができる。
【００１２】
本発明に係る発券装置において、（Ａ）前記共通の搬送部、前記第２搬送部及び前記第３搬送部のそれぞれは、それぞれが駆動ローラと従動ローラとそれらのローラに掛け渡されたベルトとから成る一対のベルト搬送ユニットのベルト同士を対面させることによって構成されており、（Ｂ）第１のモータによって駆動される第１の駆動ベルトと、第２のモータによって駆動される第２の駆動ベルトとが設けられており、（Ｃ）前記第１の駆動ベルトは前記共通の搬送部を構成する一対の駆動ローラと、前記第３搬送部を構成する一対の駆動ローラのうちの一方とに掛け渡され、（Ｄ）前記第２の駆動ベルトは前記第２搬送部を構成する一対の駆動ローラと、前記第３搬送部を構成する一対の駆動ローラのうちの他方とに掛け渡され、（Ｅ）前記第３搬送部を構成する一対の駆動ローラのうちの一方は一方向動力伝達要素を介して前記第１の駆動ベルトに連結され、（Ｆ）前記第３搬送部を構成する一対の駆動ローラのうちの他方は一方向動力伝達要素を介して前記第２の駆動ベルトに連結されていることを特徴とする。
【００１３】
本発明に係る発券装置の従来例においては、一方向動力伝達要素を用いることなく３つの搬送部を３つのモータによって駆動していた。これに対し上記の発明態様に係る発券装置では、３つの搬送部の搬送物搬送方向を、２つのモータと一方向動力伝達要素とによって個別に制御できる。モータが２つで済むので、発券装置を小型にでき、製造コスト及び運転コストを低減できる。
【００１４】
さらに、ＩＣカード搬送手段の駆動系を考えた場合、通常の駆動方法に基づけば、共通の搬送部、第２搬送部、第３搬送部の３個の搬送部は３個のモータを用いて個々に駆動するのが一般的である。これに対し上記の発明態様に係る発券装置では、１つの搬送部である第３搬送部を独自に停止状態にさせることを可能にするために、駆動ローラに一方向動力伝達要素（例えば、一方向クラッチ）を介在させると共に、隣の搬送部である第２搬送部のための動力源によってその第３搬送部を駆動する構成とした。これにより、モータ等といった駆動源の設置場所を小さくでき、部品コストを低減することができる。
【００１５】
次に、本発明に係る券売機は、接客部、硬貨処理装置、紙幣処理装置、硬貨回収金庫、及び発券装置を有する券売機において、前記発券装置は以上に記載した構成の発券装置であることを特徴とする。
【発明の効果】
【００１６】
本発明によれば、ＩＣカードと券とで投入口及び取出口が処理口として共通であり、ＩＣカード搬送路と券搬送路の一部が共通の搬送部となっており、その共通の搬送部をＩＣカード搬送路又は券搬送路として選択的に用いるようにしている。仮にＩＣカードと券との処理口が別々であったり、ＩＣカード及び券の投入口と取出口とが別々であったりすると、発券装置を小型な一体構造に形成することが非常に困難であるが、ＩＣカードと券とで処理口が共通である本発明によれば、ＩＣカードの搬送系と券の搬送系とを小型の一体構造に容易に形成でき、発券装置を小型な一体構造に形成することができる。
【００１７】
また、ＩＣカードと券とで投入口及び取出口を共通とすることにより、それらが別々であった発券装置及び券売機に比べて、部品コスト及び製作コストを大幅に低減できる。
【００１８】
また、仮に、硬質であるＩＣカードの処理部と、軟質である券の処理部とが同じ場所や同じ搬送系内に設けられているとすると、ＩＣカードの搬送制御と券の搬送制御とが複雑になり、故障を招き易い。これに対し、本発明では、ＩＣカードの処理部と、券の処理部とを異なった所に設けたので、ＩＣカード及び券の搬送を安定して行うことができ、ＩＣカード等の詰まりや損傷を防止できる。
【図面の簡単な説明】
【００１９】
【図１】本発明に係る券売機の一実施形態を示す斜視図である。
【図２】その券売機の正面図である。
【図３】その券売機の背面図である。
【図４】本発明に係る発券装置の一実施形態の内部構造の正面図である。
【図５】図４の発券装置を構成するＩＣカード搬送部を示す図である。
【図６】図４の発券装置を構成する主要搬送部及び主要処理部を示す図である。
【図７】図６の主要処理部の１つである切断部及び印字部を示す図である。
【図８】図４の発券装置を構成する他の主要搬送部及び他の主要処理部を示す図である。
【図９】図１に示す券売機の制御系の一実施形態を示すブロック図である。
【図１０】通常発券時の用紙搬送状態を示す図である。
【図１１】通常発券時のＩＣカード搬送部の駆動状態を示す図である。
【図１２】ＩＣカード挿入時の用紙搬送状態を示す図である。
【図１３】ＩＣカード挿入時のＩＣカード搬送部の駆動状態を示す図である。
【図１４】ＩＣカードでの券購入時の用紙搬送状態を示す図である。
【図１５】ＩＣカードでの券購入時のＩＣカード搬送部の駆動状態を示す図である。
【図１６】払戻し処理時の第１の用紙搬送状態を示す図である。
【図１７】払戻し処理時の第２の用紙搬送状態を示す図である。
【図１８】ディスプレイ上の案内表示画面の実施形態を示す図である。
【図１９】ＩＣカード搬送部の従来の駆動系の一例を示す図である。
【発明を実施するための形態】
【００２０】
以下、本発明に係る発券装置及び券売機を実施形態に基づいて説明する。なお、本発明がこの実施形態に限定されないことはもちろんである。また、これ以降の説明では図面を参照するが、その図面では特徴的な部分を分かり易く示すために実際のものとは異なった比率で構成要素を示す場合がある。
【００２１】
（券売機）
図１は本発明に係る券売機の一実施形態の斜視図であり、図２はその券売機の正面図であり、図３はその券売機の背面図である。本実施形態では、券売機１は、客である操作者によるＩＣカードの投入又は現金の投入に応じて乗り物の乗車券を発行するものとする。もちろん、乗車券以外の券を発行することも可能である。
【００２２】
券売機１は設置面Ｇの上に置かれている。設置面Ｇは、例えば、建物内部の床面であり、通常は、水平面である。設置面Ｇが水平面でない場合には、ボルト・ナット等を用いた高さ調整機構等を利用して券売機１の基準面が水平面となるように調整される。券売機１は、ケーシング２と、ケーシング２の前面に設けられた接客パネル３とを有している。ケーシング２の内部には、図３に示すように、発券装置４と、係員操作部６と、硬貨装置７と、紙幣装置８と、硬貨回収金庫９とが設けられている。
【００２３】
接客パネル３は操作者が対面する部分である。接客パネル３には、入力用のタッチパネルを備えた画像表示手段としてのディスプレイ１１と、必要に応じて操作者が操作するボタンスイッチ等が設けられた操作パネル１２と、操作者が硬貨を投入する部分である硬貨投入口１３と、硬貨が返却される部分である硬貨返却口１５と、操作者が紙幣を挿入するための開口である紙幣挿入口１４と、紙幣が払い出されるための開口である紙幣返却口１６と、開口である処理口１７とが設けられている。処理口１７は発券装置４の１つの構成要素であり、操作者は、ＩＣカード又は払戻し券を処理口１１へ挿入して発券装置４へ投入する。また、発券装置４は、処理口１７を通してＩＣカード又は券を外部へ排出する。処理口１７の近傍には発光手段としての赤色ＬＥＤ（Light Emitting Diode）１８が設けられている。
【００２４】
図３において係員操作部６には、接客パネル３に設けられた各種の要素の動作を制御するための接客部制御部が格納されている。この接客部制御部は、例えば、ＣＰＵ（Central Processing Unit）、ＲＯＭ（Read Only Memory）、ＲＡＭ（Random Access Memory）、メモリ等を含んで構成されている。本実施形態では、接客パネル３、それに取り付けられた各種の要素機器、及びそれらの要素機器の動作を制御する接客部制御部の全体を接客部と呼ぶことがある。
【００２５】
図３の硬貨装置７は接客パネル３に開口した硬貨投入口１３及び硬貨返却口１５を構成要素として含んでおり、硬貨投入口１３から投入された硬貨に対して各種の処理を行い、また、処理後の硬貨を必要に応じて硬貨返却口１５へ排出する。硬貨装置７はその処理のための制御回路を備えている。この制御回路は、例えば、ＣＰＵ、ＲＯＭ、ＲＡＭ、メモリ等を含んで構成されている。
【００２６】
紙幣装置８は接客パネル３に開口した紙幣挿入口１４及び紙幣返却口１６を構成要素として含んでいる。紙幣装置８は、紙幣挿入口１４から投入された紙幣に対して各種の処理を行い、また、処理後の紙幣を必要に応じて紙幣返却口１６から外部へ部分的に排出する。操作者は部分的に排出された紙幣を外部へ抜取ることができる。紙幣装置８は上記の処理を達成するための制御回路を備えている。この制御回路は、例えば、ＣＰＵ、ＲＯＭ、ＲＡＭ、メモリ等を含んで構成されている。
【００２７】
（発券装置）
図４は、発券装置４の一実施形態を示している。発券装置４は筐体、支持体又はフレーム２１を有している。フレーム２１の上端部の接客側（図の左側）の端面に処理口１７が設けられている。この処理口１７が券売機１の接客パネル３に開口していることは既述の通りである。フレーム２１には、ＩＣカード搬送部２２と、用紙部２３と、第１フィード部２４と、第２フィード部２５と、切断部２６と、印字部２７と、メイン搬送部２８とが設けられている。
【００２８】
ＩＣカード搬送部２２はフレーム２１の上端部であって処理口１７に連続して略水平な直線状に設けられている。ＩＣカード搬送部２２は、図５に示すように、処理口１７に連続して設けられた共通の搬送部３１と、第１通路切換部材３２を挟んで共通の搬送路３１に連続している第２搬送部３３と、第２通路切換部材３４を挟んで第２搬送部３３に連続している第３搬送部３５とを有している。第３搬送部３５の内部には、ＩＣカードの情報を読み取るためのリーダ機能とＩＣカードに情報を書き込むためのライタ機能とを併せて有するＩＣカード処理部としてのリーダ／ライタ４８が設けられている。
【００２９】
リーダ／ライタ４８は、ストアード・フェアを利用する際にＩＣカードから切符購入代金を差し引く処理をしたり、チャージ料金の投入による蓄積料金の積み増し処理を行う。
【００３０】
共通の搬送部３１は一対の搬送ベルト３７ａ及び３７ｂのベルト部分同士を対面させること、例えば互いに面接触させることによって形成されている。各搬送ベルトは、それぞれ、駆動ローラ３８ａ及び３８ｂによって駆動されて周回移動する。第２搬送部３３は一対の搬送ベルト３９ａ及び３９ｂのベルト部分同士を対面させることによって形成されている。各搬送ベルトは、それぞれ、駆動ローラ４１ａ及び４１ｂによって駆動されて周回移動する。第３搬送部３５は一対の搬送ベルト４２ａ及び４２ｂのベルト部分同士を対面させることによって形成されている。各搬送ベルトは、それぞれ、駆動ローラ４３ａ及び４３ｂによって駆動されて周回移動する。
【００３１】
ＩＣカード搬送部２２は２つの電動モータ４４ａ及び４４ｂを有している。これらのモータ４４ａ，４４ｂの出力軸には駆動ベルト４６ａ及び４６ｂが掛けられている。一方の駆動ベルト４６ａは、共通の搬送部３１の上下の駆動ローラ３８ａ及び３８ｂのそれぞれにたすき掛けの関係（すなわち互いに逆回転させる関係）で掛けられ、さらに第３搬送部３５の上側の搬送ベルトの駆動ローラ４３ａに掛けられている。駆動ローラ４３ａは一方向動力伝達要素としての一方向クラッチ４７ａを介して駆動ベルト４６ａに連結されている。
【００３２】
他方の駆動ベルト４６ｂは、第２搬送部３３の上下の駆動ローラ４１ａ及び４１ｂのそれぞれに、たすき掛けの関係で掛けられ、さらに第３搬送部３５の下側の搬送ベルトの駆動ローラ４３ｂに掛けられている。駆動ローラ４３ｂは一方向動力伝達要素としての一方向クラッチ４７ｂを介して駆動ベルト４６ｂに連結されている。なお、上側駆動ローラ４３ａに属する一方向クラッチ４７ａは、図５における反時計方向の回転を駆動ローラ４３ａへ伝え、正時計方向の回転に対しては空回りして回転を伝えないようになっている。
【００３３】
同様に、下側駆動ローラ４３ｂに属する一方向クラッチ４７ｂも、図５における反時計方向の回転を駆動ローラ４３ｂへ伝え、正時計方向の回転に対しては空回りして回転を伝えないようになっている。第３搬送部３５内の駆動ローラ４３ａ，４３ｂに一方向クラッチ４７ａ，４７ｂを介在させているのは、ＩＣカードをリーダ／ライタ４８に対して停止させる工程を実現させるためである。
【００３４】
共通の搬送路３１、第２搬送路３３及び第３搬送路３５は、処理口１７とリーダ／ライタ４８とを結ぶＩＣカード搬送路Ｒ１を形成している。このＩＣカード搬送路Ｒ１は水平方向に直線状に延在している。ここで水平というのは、厳密に水平であることはもとより、若干の傾斜がある場合も含む意味である。また、直線状というのは、厳密に直線であることはもとより、比較的硬質の材料から成るＩＣカードをこのＩＣカード搬送路Ｒ１に沿って搬送する際にそのＩＣカードに過剰な曲げ応力を発生させることのない程度に若干の曲がり状態がある場合も含む意味である。ＩＣカード搬送路Ｒ１の先方（図５の右方）には試し刷りによって作製された券、いわゆる試刷券、を収容するための回収箱５４が設けられている。
【００３５】
第２搬送部３３を構成する下側搬送ベルト３９ｂは第２通路切換部材３４の前方位置で下方（すなわちＩＣカード搬送路Ｒ１から離れる方向）へ曲がっている。そして、その曲って延在する部分は補助搬送ベルト５１と対面している。下側搬送ベルト３９ｂと補助搬送ベルト５１とは協働して分岐路Ｒ２を形成している。分岐路Ｒ２の途中には廃札処理部としてのパンチ機構５２が設けられている。また、分岐路Ｒ２の先方（すなわち下方）には、券を収容するための券回収箱５３が設けられている。券回収箱５３は、ロール紙の先端部分の券及びその終端部分の券や、入力ミスが行われた券や、払戻し券等を回収して保管する容器である。
【００３６】
ＩＣカード搬送路Ｒ１と分岐路Ｒ２とは、第２通路切換部材３４を移動させることによって選択することができる。また、共通の搬送部３１と第２搬送部３３との間に設けられた第１通路切換部材３２は、自らの移動により、ＩＣカード搬送路Ｒ１と後述する券搬送路Ｒ３とのいずれか一方を搬送路として選択できる。ＩＣカード搬送路Ｒ１と券搬送路Ｒ３とは共通の搬送部３１において共通の搬送路となっている。
【００３７】
図４の用紙部２３は、枚葉紙として発行される券の切断前の状態であるロール紙５６ａ及び５６ｂをそれらの中心部分において支持する支持軸５７ａ及び５７ｂと、ロール紙５６ａ，５６ｂを収容できる空間領域と、補助ローラ５８ａ及び５８ｂと、テンションローラ５９ａ，５９ｂ及び５９ｃとによって構成されている。用紙部２３は、上段ロール紙５６ａ又は下段ロール紙５６ｂの一方から紙を送出し、当該段の紙が無くなったときに段を切換えて紙の送出を継続する。
【００３８】
テンションローラ５９ａ，５９ｂ及び５９ｃは、例えば特許第３９５９２８１号公報に開示されているテンションローラを用いることができる。簡単に説明すれば、略円弧状の複数（本実施形態では６枚）の弾性部材から成る羽根を含んで形成されている。これらの羽根の弾性変形によりロール紙５６ａ及び５６ｂの送り出し動作を円滑に行っている。
【００３９】
図４において、第１フィード部２４は、上段ロール紙５６ａの収容領域と下段ロール紙５６ｂの収容領域との間に設けられている。また、第２フィード部２５は、第１フィード部の用紙搬送方向の下流側に連続して設けられている。第１フィード部２４は、図６において、上段ロール紙５６ａの巻き出し部分を搬送するための送りローラ対６１ａと、下段ロール紙５６ｂの巻き出し部分を搬送するための送りローラ対６１ｂとを有している。
【００４０】
送りローラ対６１ａ及び６１ｂは、ぞれぞれ、フィードローラ６２ａ及び６２ｂ並びにそれに対向した従動ローラ６３ａ及び６３ｂを有している。動力伝達系の詳しい図示は省略しているが、フィードローラ６２ａ及び６２ｂは電動モータ６４の出力軸に動力伝達系を介して連結されている。発券装置４の稼動時には、フィードローラ６２ａ及び６２ｂのいずれか一方がモータ６４によって駆動されて回転する。
【００４１】
第１フィード部２４は、ロール紙５６ａ，５６ｂの装填の際に作動して、ロール紙５６ａ，５６ｂの発券装置４への自動装填を行う部分である。また、第１フィード部２４は、ロール紙５６ａ，５６ｂの装填が完了した後には、フィードローラ６２ａ，６２ｂを駆動せず、第２フィード部２５によるロール紙５６ａ，５６ｂの搬送に従動するようになっている。
【００４２】
第２フィード部２５は、フィードローラ６５ａ及び６５ｂと、それらのフィードローラに対向した従動ローラ６６ａ及び６６ｂと、フィードローラ６５ａ，６５ｂを駆動する電動モータ６７とを有している。モータ６７の出力軸とフィードローラ６５ａ，６５ｂとは駆動ベルト６８によって連結されている。
【００４３】
切断部２６は、ロール紙５６ａ，５６ｂを小型券に切断するための第１カッタ部７０と、ロール紙５６ａ，５６ｂを大型券に切断するための第２カッタ部７１とを有している。切断部２６は、第２フィード部２５と略同じ位置に設けられている。第１カッタ部７０は第２のフィードローラ６５ｂの左側に設けられている。第２カッタ部７１は第２のフィードローラ６５ｂの右側に設けられている。図６では、第１カッタ部７０又は第２カッタ部７１によってロール紙５６ａ，５６ｂを切断して得られた券を符号５６ｃで示している。
【００４４】
印字部２７は、所定の情報を券に印刷して券面を形成するサーマルヘッド７２と、切断された券５６ｃを搬送する搬送部とを有している。そしてその搬送部は、サーマルヘッド７２に対向して設けられ回転により券５６ｃを搬送するプラテンローラ７３と、プラテンローラ７３を駆動するための電動モータ７４とを有している。モータ７４の出力軸とプラテンローラ７３とは駆動ベルト７６で連結されている。サーマルヘッド７２は画像信号供給部から伝送される画像信号に従って券５６ｃの表面に券面を印字する。サーマルヘッドを用いた印字方式は感熱発色方式である。他の印字方式を採用しても良い。
【００４５】
印字部２７における用紙搬送速度は、第１フィード部２４及び第２フィード部２５の用紙搬送速度と同期するように制御される。印字部２７は、プラテンローラ７３によって券５６ｃを搬送しながら、サーマルヘッド７２とプラテンローラ７３との接触面においてサーマルヘッド７２により券５６ｃに印刷を行う。印字部２７の搬送部は、切断部２６においてロール紙５６ａ，５６ｂの切断が終了した後に用紙の搬送を開始する。
【００４６】
印字部２７は、図７において、切断マーク位置Ｃ１においてロール紙５６ａ，５６ｂの先端を検知できるようになっている。切断マーク位置Ｃ１は、ロール紙５６ａ，５６ｂの先端がサーマルヘッド７２とプラテンローラ７３とに挟み込まれる位置である。この切断マーク位置Ｃ１の検知は、例えば、サーマルヘッド７２の近傍に配置したセンサによって行うことができる。切断マーク位置Ｃ１においてロール紙５６ａ，５６ｂの先端を検知した上で、第１カッタ部７０によってロール紙を切断すれば小型券が作製され、第２カッタ部７１によってロール紙を切断すれば大型券が作製される。本実施形態では、ロール紙５６ａ，５６ｂの幅が５７．５ｍｍであり、小型券は５７．５ｍｍ×３０ｍｍであり、大型券は５７．５ｍｍ×８５ｍｍであるものとする。
【００４７】
切断部２６は、例えば特許第３９５９２８１号公報に開示された切断部を用いることができる。詳しくは同公報に説明されているが、図７を用いて簡単に説明する。図７は、第１カッタ部７０がロール紙５６ａ，５６ｂを切断し、第２カッタ部７１は切断待機の状態にある場合を示している。
【００４８】
第１カッタ部７０及び第２カッタ部７１は、ロール紙５６ａ，５６ｂを切断するカッタ７７と、カッタ７７を駆動する電動モータ７８と、モータ７８の回転力をカッタ７７に伝達するリンク機構７９とを有している。カッタ７７は、リンク機構７９と一体に移動して回転する回転刃８６と、位置不動の固定刃８７とを有している。回転刃８６の先端切刃部分と固定刃８７の先端切刃部分とが離れている状態のときにそれらの刃の間にロール紙５６ａ，５６ｂを通しておいた状態で、モータ７８を作動してリンク機構７９を動かすことにより回転刃８６を回転させることにより、ロール紙５６ａ，５６ｂを切断することができる。
【００４９】
第１カッタ部７０及び第２カッタ部７１は、ロール紙５６ａ，５６ｂの切断を検知する光センサ（以下、切断完了センサ８１という）と、切断を待機する状態にあることを検出する光センサ（以下、切断待機センサ８２という）とを、互いに対向する１８０°の角度位置関係で有している。切断完了センサ８１及び切断待機センサ８２は、例えば、発光部と受光部とを有した透過型光センサである。モータ７８の出力軸には、切欠き部８３を備えた略円板状の検知片８４が取り付けられており、この切欠き部８３を切断完了センサ８１又は切断待機センサ８２によって検知することにより、それぞれ、用紙の切断が終了したこと、又は用紙の切断を待っていることが検知される。
【００５０】
図４のメイン搬送部２８は、図８に示すように、印字部２７に連続したターン部９０と、ターン部９０に連続した第４搬送部９１と、第４搬送部９１に連続した共通の搬送部３１とを有している。共通の搬送部３１は、図４においてＩＣカード搬送部２２を構成している共通の搬送部３１である。図７において第１カッタ部７０を用いてロール紙５６ａ，５６ｂを切断して得られた小型券は、ロール紙の搬送方向と直角方向の長さがロール紙の幅、すなわち５７．５ｍｍであり、ロール紙の搬送方向の長さが３０ｍｍである。ターン部９０は小型券についての搬送方向を９０°回転させて、小型券の搬送方向を短手方向から長手方向へと変換する。
【００５１】
第４搬送部９１の内部には、券の裏面に磁気情報の書込みを行うヘッドであるライトヘッド９２と、ライトヘッド９２で書込まれた情報を確認のために読取るヘッドであるリードヘッド９３とが設けられている。
【００５２】
第４搬送部９１は一対の搬送ベルト９４ａ及び９４ｂのベルト部分同士を対面させることによって形成されている。各搬送ベルトは、それぞれ、駆動ローラ９６及び駆動ベルト９７によって駆動されて周回移動する。各駆動ローラ９６は電動モータ９８の出力軸に掛けられた駆動ベルト９９によって駆動される。
【００５３】
図４において、ロール紙を切断する切断部２６、券に券面を印字する印字部２７、ターン部９０、ライトヘッド９２、そしてリードヘッド９３は、券に所定の情報を記録し更に発券のための処理を行う発券処理部を構成している。そして、用紙部２３、第１フィード部２４、第２フィード部２５、印字部２７、メイン搬送部２８、及び共通の搬送部３１から成る搬送系は、用紙部２３と発券処理部２６，２７，９０，９２，９３と処理口１７とを結ぶ券搬送路Ｒ３を形成している。券搬送路Ｒ３は、第１通路切換部材３２の所でＩＣカード搬送路Ｒ１と交差している。第１通路切換部材３２は自らが移動することにより、用紙の搬送路をＩＣカード搬送路Ｒ１と券搬送路Ｒ３とで切換える。
【００５４】
処理口１７に連続している共通の搬送部３１は、処理口１７から投入されたＩＣカードや券を発券装置４の内部へ導入する機能を有している。この場合、搬送部３１の上側ベルトは反時計方向へ周回移動し、下側ベルトは正時計方向へ周回移動する。処理口１７から投入される券としては、例えば操作者が誤って購入してしまった券に対して払戻し処理を行う際のその券が考えられる。
【００５５】
また、共通の搬送部３１は、券搬送路Ｒ３に沿って搬送されてきた小型券又は大型券や、ＩＣカード搬送路Ｒ１に沿って送られて来たＩＣカード等を処理口１７へ向けて送り出す機能を有している。この場合、搬送部３１の上側ベルトは正時計方向へ周回移動し、下側ベルトは反時計方向へ周回移動する。さらに、共通の搬送部３１は、複数枚の回数券を発券する際に必要となる枚数の回数券を集積した後にそれらを処理口１７へ送出する機能を有している。回数券を集積する際には、共通の搬送路３１によって形成される搬送路内にストッパ（図示せず）を突出させて、回数券を集積する。
【００５６】
操作者がＩＣカードや券を処理口１７へ挿入した場合には、そのＩＣカード等は途中までは操作者の手によって押し進められ、途中から搬送部３１によって自動的に搬送されて機内へ導入される。また、共通の搬送部３１から処理口１７へ排出された券やＩＣカードは、その一定量を機内に残した状態で外部へ排出される。そして、この状態で、操作者によって抜き取られるのを待機する。
【００５７】
（制御系及び給電系）
図９は本実施形態の発券機に用いられている制御系及び電力供給系をブロック図によって示している。同図において、券売機側制御部１０１は、券売機１の全体の制御を行う制御部であり、ＣＰＵ、ＲＯＭ、ＲＡＭ、メモリを備えたコンピュータによって構成されている。例えば、ＲＯＭ内にＯＳ（オペレーティング・システム）が記憶され、メモリ内に制御系プログラムが記憶されている。券売機側制御部１０１は、例えば、ＩＣカードに記録された情報に対する積み増し（加算）処理や減算処理を行ったり、ＩＣカードへ書込むための情報の演算処理を行う。
【００５８】
券売機側制御部１０１への給電は、商用１００Ｖ（ボルト）電源に接続されたＰＣ電源部１０２によって行われている。ＰＣ電源部１０２はマザーボードに関する所定の規格であるＡＴＸに準拠した電源ユニットであるＡＴＸ電源１０３と、バックアップ用電源１０４とを有している。通常の稼動時においては、券売機側制御部１０１への給電はＡＴＸ電源１０３によって行われる。このＡＴＸ電源１０３からの給電が何らかの理由によって遮断された場合には、バックアップ用電源１０４からの給電が行われて、制御部１０１による制御が継続される。
【００５９】
接客部制御部５は、図１の接客パネル３上に設けられた各種機器の動作を制御する制御部である。例えば、ディスプレイ１１に映し出される映像を制御する。接客部制御部５は例えばプリント基板上に形成された回路であり、例えば図３の係員操作部６内に収納されている。接客部制御部５は、券売機側制御部１０１からの指令に基づいて接客パネル３上の各種機器要素の動作を制御する。
【００６０】
図９に示した硬貨装置７及び紙幣装置８は、それぞれ、図３に同じ符号で示した装置である。これらの装置は、それぞれ、コンピュータによって構成された制御部を備えている。各装置内の制御部はそれぞれのメモリ内に記憶したプログラムに従って所定の機能を実現する。硬貨装置７及び紙幣装置８の制御部は、それぞれ、券売機側制御部１０１からの指令に基づいて硬貨装置７及び紙幣装置８のそれぞれの内部の機器要素の動作を個別に制御する。
【００６１】
接客部制御部５、硬貨装置７及び紙幣装置８への給電は、商用１００Ｖ電源に接続されたユニット電源部１０６によって行われている。また、接客部制御部５、硬貨装置７の制御部、及び紙幣装置８の制御部の各制御部と、券売機側制御部１０１との通信は、公知の通信形態の１つである“ARCNET HUB”を通して行われる。
【００６２】
発券装置４は図３に同じ符号で示した装置である。発券装置４の内部の機械的な構成は図４に示した通りである。図４には図示していないが、コンピュータによって構成された制御部が発券装置４内の適所に配設されている。この制御部は、図９の券売機側制御部１０１からの指令に基づいて発券装置４の各構成要素の動作を制御する。発券装置４内のリーダ／ライタ４８以外の構成要素への給電は、接客部制御部５等への給電と同様に、ユニット電源部１０６によって行われる。
【００６３】
一方、発券装置４の構成要素の１つであるリーダ／ライタ４８及びその制御部への給電は、発券装置４内の他の構成要素とは異なって、券売機側制御部１０１のための電源であるＰＣ電源部１０２によって行われる。また、リーダ／ライタ４８の制御部と券売機側制御部１０１との通信は、ＲＳ−２３２Ｃに準拠したシリアル通信によって行われる。
【００６４】
以上の構成により、電源供給の停止の検知からＯＳのシャットダウンまでの間、リーダ／ライタ４８への電源供給が可能である。また、券売機側制御部１０１とリーダ／ライタ４８の制御部との間の通信は専用回線であるため、リーダ／ライタ４８の制御部への通信も支障無く行うことができる。こうして、電源供給が停止された場合でも、リーダ／ライタ４８は即座に動作を停止することはなく、ＩＣカードの更新動作が保証される。ＩＣカードの更新動作が保証されれば、途中処理状態（未完了）にならないため、ＩＣカード内のデータのデータ整合性も保たれる。
【００６５】
（制御モード）
図９において、券売機側制御部１０１は、接客部制御部５から伝送される信号に基づいて、操作者が接客パネル３を通してどの制御モードを指定したかを判定する。接客部制御部５、硬貨装置７の制御部、紙幣装置８の制御部、及び発券装置４の制御部の各制御部は、券売機側制御部１０１からの指令に基づいて、個々の制御モードに対応した固有の制御プロセスを実現する。制御モードとしては、例えば、（１）通常発券モード、（２）ＩＣカードでの券購入モード、（３）ＩＣカードチャージ（積み増し）モード、そして（４）払戻し処理（ＩＣカード積み増し）モード等といった各種の制御モードがある。以下、主に発券装置４が各制御モードにおいて実行する動作について説明する。
【００６６】
≪１：通常発券モード≫
まず、通常発券モードについて説明する。この制御モードは、図１の接客パネル３から投入された現金及び操作者による接客パネル３を通しての指示に応じて、要求された券を処理口１７から排出する制御モードである。この制御モードにおいては、図１０において、発券装置４内のＩＣカード搬送部２２内の第１通路切換部材３２が共通の搬送部３１をメイン搬送部２８内の第４搬送部９１へ繋げる位置に設定される。
【００６７】
他方、図１１において、ＩＣカード搬送部２２の駆動系を構成するモータ４４ａ及びモータ４４ｂの両方を正時計回転させる。これにより、共通の搬送部３１はＩＣカード、券等といった用紙を処理口１７へ向けて搬送する状態に設定され、第２搬送部３３は用紙を処理口１７の反対方向へ搬送する状態に設定される。
【００６８】
以上の設定により、発券装置４内では、図１０において、ロール紙及びそれから切断された券等といった用紙が、用紙部２３、第２フィード部２５、印字部２７、及びメイン搬送部２８によって券搬送路Ｒ３に沿って搬送される。搬送される用紙は、切断部２６によって小型券又は大型券のいずれかに切断され、印字部２７によって券面が印字され、必要に応じてターン部９０によって搬送方向に対する姿勢が変換され、ライトヘッド９２によって磁気情報が書込まれ、そしてリードヘッド９３によって確認のための読取りが行われる。
【００６９】
読取られた情報が操作パネル３を通じて指示された情報に合致していれば、券は第４搬送部９１から共通の搬送部３１へ送られ、その一部が処理口１７から外部へ排出され、操作者による抜き取りを待つ状態となる。券が処理口１７から排出されるとき、図１のディスプレイ１１にその旨が案内表示として画像表示される。この案内表示については後述する。リードヘッド９３によって読取られた情報が操作パネル３を通じて指示された情報と合致していなければ、すなわちライトヘッド９２により書込みミスが生じた場合には、第１通路切換部材３２が第４搬送部９１をＩＣカード搬送部２２の第２搬送部３３へ繋げる位置に切換えられ、第２通路切換部材３４が分岐路Ｒ２を選択する位置に設定される。これにより、書込みミスを有する券は第４搬送部９１からＩＣカード搬送部２２の第２搬送部３３へ入り、さらに第２搬送部３３から分岐路Ｒ２へ入り、最終的に券回収箱５３へ回収される。
【００７０】
≪２：ＩＣカードでの券購入モード≫
次に、ＩＣカードでの券購入モードについて説明する。この制御モードは、操作者が図１の操作パネル３の処理口１７にＩＣカードを挿入し、操作者が希望する情報を操作パネル３を通じて入力し、その入力情報に従って券を処理口１７から発行し、ＩＣカードに記録されている情報から入力情報を減算し、そして減算処理後のＩＣカードを処理口１７から返却する制御モードである。
【００７１】
この制御モードは、（ａ）ＩＣカードを図４のリーダ／ライタ４８まで搬送してそこに停止させるＩＣカード導入工程と、（ｂ）操作者が図１の接客パネル３を通じて入力した情報に基づいて券を発行する発券工程と、（ｃ）ＩＣカードに記録されている情報をリーダ／ライタ４８によって読取り及び必要情報を書込むＩＣカード処理工程と、（ｄ）処理後のＩＣカードを処理口１７へ返却するＩＣカード返却工程とを有している。以下、個々の処理工程について説明する。
【００７２】
＜ａ：ＩＣカード導入工程＞
この処理工程においては、まず、図１２において、発券装置４内のＩＣカード搬送部２２内の第１通路切換部材３２が共通の搬送部３１を第２搬送部３３へ繋げる位置に設定される。また、第２通路切換部材３４が第２搬送部３３を第３搬送部３５へ繋げる位置に設定される。
【００７３】
他方、図１３において、ＩＣカード搬送部２２の駆動系を構成するモータ４４ａを反時計回転させ、モータ４４ｂを正時計回転させる。このとき、第３搬送部３５の上段搬送ベルトの一方向クラッチ４７ａは、駆動ベルト４６ａが反時計方向へ周回移動するので、ロック状態（動力伝達状態）となり、上段搬送ベルトは用紙を第２搬送部３３からリーダ／ライタ４８へ向かう方向へ搬送する。一方、第３搬送部３５の下段搬送ベルトの一方向クラッチ４７ｂは、駆動ベルト４６ｂが正時計方向へ周回移動するので、フリー状態（空回り状態）となり、下段搬送ベルトは自由回動状態である。これにより、共通の搬送部３１、第２搬送部３３及び第３搬送部３５はＩＣカードを処理口１７の反対方向へ搬送する状態に設定される。
【００７４】
以上の設定により、発券装置４内では、図１２に示すように、処理口１７に挿入されたＩＣカードが直線状のＩＣカード搬送路Ｒ１に沿って搬送され、そのＩＣカードがリーダ／ライタ４８に対する所定の読み書き可能位置に到達する。すると、モータ４４ａの回転が停止され、ＩＣカードはリーダ／ライタ４８に対する所定の読み書き可能位置に停止する。
【００７５】
＜ｂ：発券工程＞
上記のＩＣカード導入工程が実行されている間又はその後、操作者が操作パネル３を通して発券の指示を行うと、図１０を用いて説明した上記の「通常発券モード」の場合と同じ処理が実行されて、所定の券面が印字され、所望の情報が磁気記録された、所望の大きさの券が処理口１７から発行される。券の排出時、ディスプレイ１１上にその旨の案内表示が行われる。
【００７６】
＜ｃ：ＩＣカード処理工程＞
上記の発券工程が実行され、さらに券の抜取りが終わった後、又はその前後の任意のタイミングにおいて、図１１のリーダ／ライタ４８に対向して停止しているＩＣカードに記録されている情報がリーダ／ライタ４８によって読取られ、その読取り情報が図９の接客部制御部５へ伝送される。接客部制御部５は、接客パネル３（図１参照）を通して入力された券の購入情報とリーダ／ライタ４８から伝送された記録情報とを比較して更新情報を演算し、その更新情報をリーダ／ライタ４８へ伝送する。リーダ／ライタ４８は伝送されて来た更新情報をＩＣカードへ上書きする。
【００７７】
＜ｄ：ＩＣカード返却工程＞
上記の発券工程により処理口１７から券の一部が排出され、さらに操作者によってその券が抜き取られ、さらにＩＣカードに対してリーダ／ライタ４８によって所定の読み書き処理が終了した後に、ＩＣカード返却工程が実行される。
【００７８】
このＩＣカード返却工程においては、まず、図１４において、発券装置４内のＩＣカード搬送部２２内の第２通路切換部材３４が第３搬送部３５を第２搬送部３３へ繋げる位置に設定される。また、第１通路切換部材３２が第２搬送部３３を共通の搬送部３１へ繋げる位置に設定される。
【００７９】
他方、図１５において、ＩＣカード搬送部２２の駆動系を構成するモータ４４ａを正時計回転させ、モータ４４ｂを反時計回転させる。このとき、第３搬送部３５の上段搬送ベルトの一方向クラッチ４７ａは、駆動ベルト４６ａが正時計方向へ周回移動するので、フリー状態となる。一方、第３搬送部３５の下段搬送ベルトの一方向クラッチ４７ｂは、駆動ベルト４６ｂが反時計方向へ周回移動するので、ロック状態となる。これにより、第３搬送部３５、第２搬送部３３及び共通の搬送部３１はＩＣカードをリーダ／ライタ４８から処理口１７へ搬送する。搬送されたＩＣカードは一部分が処理口１７の外へ張り出し、操作者の抜き取りを待つ状態となる。ＩＣカード処理口１７から排出されるとき、図１のディスプレイ１１にその旨が案内表示として画像表示される。この案内表示については後述する。
【００８０】
≪３：ＩＣカードチャージ（積み増し）モード≫
次に、ＩＣカードチャージ（積み増し）モードについて説明する。この制御モードは、ＩＣカードに記録されている残金情報に積み増し金を加算する処理を行う制御モードである。図９の券売機側制御部１０１がこの制御モードを選択すると、図１２に関連して説明したように、既述の「２：ＩＣカードでの券購入モード」における「ａ：ＩＣカード導入工程」と同様の制御が実行される。その結果、処理口１７から挿入されたＩＣカードがＩＣカード搬送路Ｒ１に沿って搬送されて、リーダ／ライタ４８に対する所定の読み書き可能位置まで搬送されてそこに停止する
【００８１】
その後、操作者が操作パネル３を通して積み増し金を投入すれば、図９の接客部制御部５はその金額を認識し、その金額に対応した信号を発券装置４内のリーダ／ライタ４８の制御部へ伝送する。リーダ／ライタ４８は伝送されたその金額信号に基づいてＩＣカードの残額情報を更新する。
【００８２】
次に、図１４に関連して説明した、上記の「２：ＩＣカードでの券購入モード」における「ｄ：ＩＣカード返却工程」と同様の制御が実行されて、積み増し処理が完了したＩＣカードの一部分が処理口１７の外へ張り出すまで搬送され、操作者の抜き取りを待つ状態となる。ＩＣカードの排出時、ディスプレイ１１上にその旨の案内表示が行われる。
【００８３】
≪４：払戻し処理（ＩＣカード積み増し）モード≫
次に、払戻し処理（ＩＣカード積み増し）モードについて説明する。この制御モードは、操作者が間違って購入してしまった券を払い戻して、払戻し金額をＩＣカードへ積み増すという処理を行う制御モードである。この制御モードは、客である操作者が係員へ申告を行い、それに応じて係員が図３に示す券売機の背面から指示操作を行うことにより実行される制御である。
【００８４】
この制御モードは、間違って購入してしまった券を図１６の発券装置４へ処理口１７から再投入し、続いて又は前もってＩＣカードを投入し、再投入した券の金額情報を読取り、読取った金額情報をＩＣカードの記録内容に払戻金情報として積み増し、処理後のＩＣカードを処理口１７から操作者へ返却し、処理後の券は発券装置４内の券回収箱５３へ回収する、という制御モードである。
【００８５】
この制御モードは、（ａ）払戻したい券を第４搬送部９１の待機位置Ｐ１まで搬送すると共に、記録されている金額をリードヘッド９３によって読取る券導入読取工程と、（ｂ）ＩＣカードをリーダ／ライタ４８まで搬送してそこに停止させるＩＣカード導入工程と、（ｃ）ＩＣカードに記録されている情報をリーダ／ライタ４８によって読取り及び必要情報を書込むＩＣカード処理工程と、（ｄ）処理後のＩＣカードを処理口１７へ返却するＩＣカード返却工程と、（ｅ）払い戻しを終了した券を待機位置Ｐ１から券回収箱５３まで搬送して該回収箱５３に回収する券回収工程とを有している。以下、個々の工程について説明する。
【００８６】
＜ａ：券導入読取工程＞
この工程においては、まず、図１６において、発券装置４内のＩＣカード搬送部２２内の第１通路切換部材３２が共通の搬送部３１をメイン搬送部２８内の第４搬送部９１へ繋げる位置に設定される。他方、図１３において、ＩＣカード搬送部２２の駆動系を構成するモータ４４ａを反時計回転させる。他方のモータ４４ｂを回転させるか否かは任意である。以上の設定により、処理口１７から挿入した払戻し券は券搬送路Ｒ３に沿って第１搬送路３１から待機位置Ｐ１へと搬送される。待機位置Ｐ１はリードヘッド９３を越えライトヘッド９２よりも前の位置である。この搬送の途中、リードヘッド９３により払戻し券に記憶されている磁気情報が読取られる。
【００８７】
＜ｂ：ＩＣカード導入工程＞
券導入読取工程の後、ＩＣカード導入工程が実行される。この工程においては、図１２に関連して説明したような、既述の「２：ＩＣカードでの券購入モード」における「ａ：ＩＣカード導入工程」と同様の制御が実行される。その結果、処理口１７から挿入されたＩＣカードがＩＣカード搬送路Ｒ１に沿って搬送されて、リーダ／ライタ４８に対する所定の読み書き可能位置まで搬送されてそこに停止する。
【００８８】
＜ｃ：ＩＣカード処理工程＞
ＩＣカードがリーダ／ライタ４８に対向して配置された後、そのＩＣカードに記録されている情報がリーダ／ライタ４８によって読取られ、その読取り情報が図９の接客部制御部５へ伝送される。接客部制御部５は、上記の券導入読取工程において第４搬送部９１のリードヘッド９３によって払戻し券から読取られた情報とリーダ／ライタ４８から伝送された記録情報とを比較して更新情報を演算し、その更新情報をリーダ／ライタ４８へ伝送する。リーダ／ライタ４８は伝送されて来た更新情報をＩＣカードへ上書きする。
【００８９】
＜ｄ：ＩＣカード返却工程＞
ＩＣカードに対する更新情報の書込みが終了した後、図１４に関連して説明した、上記の「２：ＩＣカードでの券購入モード」における「ｄ：ＩＣカード返却工程」と同様の制御が実行されて、ＩＣカードが図１７に示すようにその一部分が処理口１７の外へ張り出すまでＩＣカード搬送路Ｒ１に沿って搬送され、操作者の抜き取りを待つ状態となる。ＩＣカードの排出時、ディスプレイ１１上にその旨の案内表示が行われる。
【００９０】
＜ｅ：券回収工程＞
ＩＣカードが処理口１７へ返却されて抜き取られた後、又はその返却処理が開始される前、第１通路切換部材３２が第４搬送部９１をＩＣカード搬送部２２の第２搬送部３３へ繋げる位置に切換えられ、第２通路切換部材３４が分岐路Ｒ２を選択する位置に設定される。これにより、払戻し券は第４搬送部９１からＩＣカード搬送部２２の第２搬送部３３へ入り、さらに第２搬送部３３から分岐路Ｒ２へ入り、最終的に券回収箱５３へ回収される。
【００９１】
（案内表示）
以上の説明の通り、本実施形態では図４において、排出口である処理口１７をＩＣカードと券とで共通にしたため、処理口１７からＩＣカードと券とが必然的に互いに異なったタイミングで排出される。ＩＣカードと券とで排出口が別々であれば、客である操作者は自分が取り出そうとしているものがＩＣカードであるのか、あるいは券であるのかを、特別な注意を払うまでも無く容易に認識できる。しかしながら、ＩＣカードと券とで排出口が共通である本実施形態においては、何等かの措置を講じておかないと、操作者が排出されたものをＩＣカードと券とで誤認するおそれがある。
【００９２】
このような問題を解消するため、本実施形態では、共通の処理口１７から排出されたものがＩＣカードであるのか、あるいは券であるのかを図１のディスプレイ１１の画面上に画像として表示することにより、操作者の注意を促すことにした。具体的には、図９の接客部制御部５内に格納されたプログラム内にそのための画走表示ルーチンを設けている。  
【００９３】
例えば、処理口１７からＩＣカードが排出されることに対して、図１８（ａ）に示すような、ＩＣカードが排出されることを示す画像表示を実現するための画像データをプログラム内に含んでいる。また、切符のような券が排出されることに対して、図１８（ｂ）に示すような、券が排出されることを示す画像表示を実現するための画像データをプログラム内に含んでいる。
【００９４】
図４において処理口１７からＩＣカード又は券が排出されたとき、又はその直前、又はその直後、図９において発券装置４の制御部から券売機側制御部１０１へ、処理口１７からＩＣカード又は券が排出されたことを示す信号が伝送される。この信号は、処理口１７の近傍に配置したセンサによって検知することができるし、あるいは、搬送系の駆動モータに設けたエンコーダの出力パルスに基づいて検知することもできる。
【００９５】
ＩＣカード又は券の排出信号を受けた券売機側制御部１０１は、接客部制御部５へ向けてＩＣカードの排出画像（図１８（ａ））又は券の排出画像（図１８（ｂ））を表示することの指示信号を伝送し、これにより、図１のディスプレイ１１にＩＣカードに関する表示（図１８（ａ））又は券に関する表示（図１８（ｂ））が行われる。これにより、操作者は共通の処理口１７から何が排出されているのかを明確に認識することができる。そのため、操作者は誤操作をすることなく券の購入を行うことができる。
【００９６】
（処理口の注意表示）
図９の接客部制御部５に記憶されたプログラム内には、図２の処理口１７の近傍、実施形態では左上方の近傍に設けたＬＥＤ１８の点滅又は点灯を制御するためのルーチンが含まれている。
【００９７】
図４において処理口１７からＩＣカード又は券の排出が開始されてから操作者によってそのＩＣカード又は券が抜き取られるとき、排出が開始されたことの信号及び抜き取られたことの信号が図９の発券装置４の制御部から券売機側制御部１０１へ伝送される。排出開始信号から抜取り完了まで間、券売機側制御部１０１は接客部制御部５へ赤色ＬＥＤ１８を点滅又は点灯すべき旨の指令を伝送する。
【００９８】
以上により、図１において処理口１７からＩＣカード又は券が排出されている間には、近傍に設けられているＬＥＤ１８が点滅又は点灯し、操作者に注意を促す。これにより、操作者が処理口１７からＩＣカード又は券を抜き取るのを忘れることを防止できる。
【００９９】
（総説）
以上の説明から理解できるように、本実施形態では、ＩＣカードによる券購入や積み増しを可能とするためにＩＣカードに対して読取り処理及び書込み処理を行うＩＣカード処理部は、図４のリーダ／ライタ４８によって構成されている。また、処理口１７とＩＣカード処理部４８とを結ぶＩＣカード搬送路Ｒ１に沿ってＩＣカードを搬送するＩＣカード搬送手段は、共通の搬送路３１、第２搬送部３３、第３搬送部３５によって構成されている。
【０１００】
また、券に所定の情報を記録し更に発券のための処理を行う発券処理部は、切断部２６、印字部２７、ターン部９０、ライトヘッド９２、リードヘッド９３等によって構成されている。また、用紙部２３と発券処理部２６，２７，９０，９２，９３と処理口１７とを結ぶ券搬送路Ｒ３に沿って券を搬送する券搬送手段は、第１フィード部２４、第２フィード部２５、印字部２７、第４搬送部９１、共通の搬送部３１によって構成されている。
【０１０１】
本実施形態では図４においてＩＣカード、発行券及び払戻し券で投入口及び取出口が共通であり、ＩＣカード搬送路Ｒ１と券搬送路Ｒ３の一部が共通の搬送部となっており、その共通の搬送部をＩＣカード搬送路又は券搬送路として選択的に用いるようにしている。仮にＩＣカードと券との処理口が別々であったり、ＩＣカード及び券の投入口と取出口とが別々であったりすると、発券装置を小型な一体構造に形成することが非常に困難であるが、ＩＣカードと券とで処理口が共通である本実施形態によれば、ＩＣカードの搬送系と券の搬送系とを小型の一体構造に容易に形成でき、発券装置を小型な一体構造に形成することができる。
【０１０２】
また、仮に、硬質であるＩＣカードの読取り・書込み部と、軟質である券の読取り・書込み部とが同じ場所や同じ搬送系内に設けられているとすると、ＩＣカードの搬送制御と券の搬送制御とが複雑になり、故障を招き易い。これに対し、本実施形態では、ＩＣカードの読取り・書込み部と、券の読取り・書込み部とを異なった所に設けたので、ＩＣカード及び券の搬送を安定して行うことができ、ＩＣカード等の詰まりや損傷を防止できる。
【０１０３】
また、図５に示したＩＣカード搬送部２２の駆動系を考えた場合、通常の駆動方法に基づけば、例えば図１９に示すように、共通の搬送部３１、第２搬送部３３、第３搬送部の３個の搬送部は３個のモータ１１１ａ，１１１ｂ，１１１ｃを用いて個々に駆動するのが一般的である。
【０１０４】
これに対し本実施形態では、図５に示したように、１つの搬送部である第３搬送部３５を独自に停止状態にさせることを可能にするために、駆動ローラ４３ａ，４３ｂに一方向クラッチ４７ａ，４７ｂを介在させると共に、隣の搬送部である第２搬送部３３のための動力モータ４４ｂによってその第３搬送部３５を駆動する構成とした。これにより、駆動源であるモータの設置場所を小さくでき、部品コストを低減できることになった。
【０１０５】
（その他の実施形態）
以上、好ましい実施形態を挙げて本発明を説明したが、本発明はその実施形態に限定されるものでなく、請求の範囲に記載した発明の範囲内で種々に改変できる。
【０１０６】
例えば、本実施形態では図４において券回収箱５３に通じる分岐路Ｒ２をＩＣカード搬送路Ｒ１の途中に設けたが、分岐路Ｒ２は必ずしも設けなくても良い。そしてこの場合には、第２搬送路３３を取り除くことが可能である。
また、本実施形態では用紙部２３に２つのロール紙５６ａ，５６ｂを設置する構成としたが、１つのロール紙だけを設置する構成であっても良い。
【符号の説明】
【０１０７】
１．券売機、  ２．ケーシング、  ３．接客パネル、  ４．発券装置、  ５．接客部制御部、  ６．係員操作部、  ７．硬貨装置、  ８．紙幣装置、  ９．硬貨回収金庫、  １１．ディスプレイ（画像表示手段）、  １２．操作パネル、  １３．硬貨投入返却口、  １４．紙幣挿入口、  １６．紙幣返却口、  １７．処理口、  １８．赤色ＬＥＤ（発光手段）、  ２１．フレーム、  ２２．ＩＣカード搬送部（ＩＣカード搬送手段）、  ２３．用紙部、  ２４．第１フィード部（券搬送手段）、  ２５．第２フィード部（券搬送手段）、  ２６．切断部（発券処理部）、２７．印字部（発券処理部）、  ２８．メイン搬送部、  ３１．共通の搬送部、  ３２．第１通路切換部材、  ３３．第２搬送部、  ３４．第２通路切換部材、  ３５．第３搬送部、  ３７ａ，３７ｂ．搬送ベルト、  ３８ａ，３８ｂ．駆動ローラ、  ３９ａ，３９ｂ．搬送ベルト、  ４１ａ，４１ｂ．駆動ローラ、  ４２ａ，４２ｂ．搬送ベルト、  ４３ａ，４３ｂ．駆動ローラ、  ４４ａ，４４ｂ．電動モータ、  ４６ａ，４６ｂ．駆動ベルト、  ４７ａ，４７ｂ．一方向クラッチ（一方向動力伝達要素）、  ４８．リーダ／ライタ（ＩＣカード処理部）、  ５１．補助搬送ベルト、  ５２．パンチ機構（廃札処理部）、  ５３．券回収箱、  ５４．試刷券回収箱、  ５６ａ，５６ｂ．ロール紙、  ５６ｃ．券、  ５７ａ，５７ｂ．支持軸、  ５８ａ，５８ｂ．補助ローラ、  ５９ａ，５９ｂ，５９ｃ．テンションローラ、  ６１ａ，６１ｂ．送りローラ対、  ６２ａ，６２ｂ．フィードローラ、  ６３ａ，６３ｂ．従動ローラ、  ６５ａ，６５ｂ．フィードローラ、  ６６ａ，６６ｂ．従動ローラ、  ６７．電動モータ、  ７０．第１カッタ部、  ７１．第２カッタ部、  ７２．サーマルヘッド、  ７３．プラテンローラ、  ７４．電動モータ、  ７６．駆動ベルト、  ７７．カッタ、  ７８．電動モータ、  ７９．リンク機構、  ８１．切断完了センサ、  ８２．切断待機センサ、  ８３．切欠き部、  ８４．検知片、  ８６．回転刃、  ８７．固定刃、  ９０．ターン部（発券処理部）、  ９１．第４搬送部、  ９２．ライトヘッド（発券処理部）、  ９３．リードヘッド（発券処理部）、  ９４ａ，９４ｂ．搬送ベルト、  ９６．駆動ローラ、  ９７．駆動ベルト、  ９８．電動モータ、Ｃ１．切断マーク位置、  Ｇ．設置面、  Ｐ１．待機位置、  Ｒ１．ＩＣカード搬送路、Ｒ２．分岐路、  Ｒ３．券搬送路
【図１】
0005508043.tif 000002
【図２】
0005508043.tif 000003
【図３】
0005508043.tif 000004
【図４】
0005508043.tif 000005
【図５】
0005508043.tif 000006
【図６】
0005508043.tif 000007
【図７】
0005508043.tif 000008
【図８】
0005508043.tif 000009
【図９】
0005508043.tif 000010
【図１０】
0005508043.tif 000011
【図１１】
0005508043.tif 000012
【図１２】
0005508043.tif 000013
【図１３】
0005508043.tif 000014
【図１４】
0005508043.tif 000015
【図１５】
0005508043.tif 000016
【図１６】
0005508043.tif 000017
【図１７】
0005508043.tif 000018
【図１８】
0005508043.tif 000019
【図１９】
0005508043.tif 000020